(57)【要約】【課題】  従来ホログラム記録媒体では、位置検出のための入射光の一部が下基板を透過し、上基板からの反射外乱光となって誤検出されることがあった。位置誤検出により記録した情報に正しくアクセスできず、時には再生できなくなる場合もあった。【解決手段】  ホログラム記録媒体用上基板の一部に光を乱反射する微細凹凸機構を設け、下基板から入射された位置検出光の一部の基板透過光を乱反射させ位置検出信号の誤検出を防止し正しい位置検出を可能とした。【選択図】  図３
2009047955.tif 000002
【特許請求の範囲】
【請求項１】
少なくともホログラム情報記録層と前記ホログラム記録情報層を挟み込むように配置された複数のホログラム記録媒体用透明基板によって構成される情報記録媒体において、前記複数の透明基板の少なくとも１枚の一部分に光を乱反射させるための微細凹凸構造を有することを特徴とするホログラム記録媒体。
【請求項２】
請求項１に記載のホログラム記録媒体において、トラッキング用パターンを有する前記基板と相対する基板の同位置に光を乱反射させるための微細凹凸構造を有することを特徴とするホログラム記録媒体。
【請求項３】
請求項１および２に記載の微細凹凸構造に対応する微細凹凸構造パターンが予め形成されている基板作製用スタンパ。
【請求項４】
請求項１および２に記載の微細凹凸構造に対応する微細凹凸構造パターンが予め形成されている基板成形用金型。
【発明の詳細な説明】
【技術分野】
【０００１】
本発明は、ホログラム情報記録媒体に関し、特に透明基板の一部に光を乱反射するための微細凹凸構造を有するホログラム情報記録媒体に関するものである。
【背景技術】
【０００２】
１９８０年代初頭に始めて製品化された光ディスクの発展は目覚しく、特に記録型光ディスクの発展は、１９８８年の発売からここ２０年足らずで大幅な進歩を遂げている。当初、６５０ＭＢであったＣＤ−ＲはＤＶＤ（４.７ＧＢ）、ＨＤ−ＤＶＤ（１５ＧＢ）と姿を変え、この数年ではＤＬ（Ｄｕａｌ Ｌａｙｅｒ：２層膜）ＢＤ（Ｂｌｕ−Ｒａｙ Ｄｉｓｃ） ５０ＧＢ、当初のＣＤ−Ｒと比較すると約１００倍もの高容量化を実現している。
【０００３】
さらに研究開発レベルでは、次世代光ディスクの開発も盛んに行われており、次世代光ディスクの有力候補として、光の干渉回折原理を利用したホログラム記録媒体が、近年高い注目を浴びている。
【０００４】
ホログラム記録媒体とは、上述したように光の干渉回折原理を利用し記録再生を行う情報記録媒体であり、代表的なホログラム記録媒体は、図４に示されるようなホログラム情報記録層９０２とそれを挟み込むように配置されたホログラム記録媒体用透明基板９０３Ａ、９０３Ｂによって構成されている。
【０００５】
ホログラム記録層９０２には、一般的に銀塩乳剤、重クロム酸ゼラチンなどがよく使われていた。しかし、近年では光重合反応のポリマー系記録材料の検討が盛んになってきており、特許文献１や２に例を示すように種々の検討開発が行われている。
【０００６】
特許文献１はポリマー系記録材料が有していた記録材料の厚み制限を改善する手法を示しており，特許文献２はポリマー系材料が重合の際に生じる収縮を補償する方法が示されている。
【０００７】
そしてこれら記録材料は、ある一定の波長の光に反応する様にチューニングされており、近年では、青色レーザー光にチューニングされているのが一般的である。
【０００８】
ホログラム記録媒体用の透明基板９０３Ａ、９０３Ｂには、光ディスク用途に使用される熱可塑性プラスチックが使用されることが多い。アクリル系樹脂やＰＣ（ポリカーボネート）樹脂、非晶質の環状オレフィン樹脂などが一般的であるが、用途と目的によっては、ガラス基板が使用されるケースも少なくない。
【０００９】
ホログラム記録媒体用透明基板９０３Ａ、９０３Ｂの表面にはＡＲ（Ａｎｔｉ-Ｒｅｆｌｅｃｔｉｖｅ：反射防止）膜が付加されている。ＡＲコートの目的は、特定の波長の透過率を上げるために付加され、ブルーレーザーを記録再生に使用するホログラム記録媒体の場合は、４０５ｎｍ近傍の光を９０％以上透過するよう設計されている。しかしながら、他の波長の光を完全に透過しないわけではなく、実際には、その他の波長の光も数〜数十％透過している。
【００１０】
上述したホログラム記録媒体９０１はディスク形状型のホログラム記録媒体であるが、これらは、実際にはディスク形状媒体だけではなく、カード型形状や他の形状の記録媒体も考えうる。
【００１１】
次にホログラム記録媒体の記録再生原理を、２光束型角度多重型ホログラムを例に、図５を用いて説明する。図５（a）は記録原理、図５（b）は再生原理を示す模式図である。ホログラム情報記録の特徴は、情報光と参照光と呼ばれる２つのレーザー光を使用することであり，これら情報光、参照光は通常同一光源光をビームスプリッタによって分光している。このようにして分光された光は、同波長、同位相であり、その１つには空間光変調器によって情報が付与され情報光となる。これら２つの光（情報光，参照光）が、ホログラム記録層９０２中に重なりあうように照射された時、記録層９０２中に干渉縞８０３が記録される。図５（a）は、その時の様子を模式的に示したものであり、記録情報光８０１と記録参照光８０２とは入射角度αの違いを為して入射されている。
【００１２】
光の干渉縞は、互いの位置、角度、波長が異なれば、それぞれに異なった干渉縞を生ずるため、位置、角度、波長を変えれば、同じ位置に異なるデータを記録することが出来、このため、高容量の記録が期待できる。
【００１３】
一方、再生には、参照光８０４のみを利用する。記録参照光８０２と同じ位置に同じ角度で同位相同波長の光を入射すると、記録時に記録された干渉縞が回折格子として作用し、データを持った再生データ光８０５を検出することができる。
【００１４】
ホログラム記録媒体は２つの光を利用し、光の干渉原理を利用して情報記録を行うという特徴を有しているが、その反面わずかでも位置がずれると異なった干渉縞が記録されてしまう。また、再生時に位置が異なれば、正しい再生データ光が検出されず、エラーとなってしまう。これら誤検出を防止するために正しい位置検出が可能な様々な提案が成されており、特許文献４はガラス基板の表面に位置情報用のマーカを設けたホログラム記録媒体の例であり、特許文献５はホログラム記録媒体表面にＲＯＭ用のピットマークを形成させた例である。我々の提案のホログラム記録媒体９０１では、ホログラム記録媒体表面にバーコード状位置情報マーク９０４を形成しており、これによって位置検出を行っている。
【００１５】
特許文献６に提案されている反射防止構造においては、その反射防止構造の凹凸深さが、波長のλ/４もしくはその奇数倍であるため、精密な加工が要求され、生産性が落ちる。
【００１６】
【特許文献１】特開平１０−１０５０３０
【特許文献２】特開２０００−０８６９１４
【特許文献３】特開２００５−３０２１４９
【特許文献４】特開２００５−２５９１９７
【特許文献５】特開２００１−０４３５６８
【発明の開示】
【発明が解決しようとする課題】
【００１７】
上述したように、ホログラム記録層はある特定の波長の光に反応するようにチューニングされている。したがって、本特許のように位置検出に異なる波長の光を使用する場合には位置検出光の一部が下基板９０３Ｂを透過することがあった（図６、７０３）。
【００１８】
また、特に屈折率差の大きい基板と空気の境界面にて光が反射しやすいため、上基板９０３Ａにおいて反射し、その反射光７０４が位置検出の際の外乱光となり、誤検出を生じることがあった。
【課題を解決するための手段】
【００１９】
本発明は、ホログラム記録媒体用基板の少なくとも１枚の一部分に光を乱反射させるための微細凹凸構造を有する（請求項１）。そしてこれら凹凸構造は、微細にランダムパターンであるほうが好ましく、更には、トラッキング用パターンを有する前記基板と相対する基板の同位置に光を乱反射させるための微細凹凸構造を有することが好ましい（請求項２）。
【００２０】
ホログラム記録媒体基板に微細凹凸構造をつけるためには、量産性を考慮し射出成形用によって転写複製する方法が望ましい。射出成形用スタンパに予め微細凹凸構造をもたせる（請求項３）ことによって大量かつ安価な製造が可能になる。
【００２１】
もしくは、スタンパを使用せず、金型のみによる直接成形によっても製造可能である。スタンパの代わりに射出成形用金型の鏡面に微細凹凸構造をつける（請求項４）方法もありうる。
【００２２】
上記の課題を達成するためには、前記ホログラム記録媒体用基板にあたり、トラッキングパターンを透過した光を無反射に抑える必要はない。前記ホログラム記録媒体用基板の作製も容易であることから、本発明が適切である。  
さらなる本発明の特徴は、本発明を実施するための最良の形態および添付図面によって詳細に記述される。
【発明の効果】
【００２３】
上基板９０３Ａからの外乱反射光７０４を乱反射させることによって、外乱位置検出反射光は発生せず正しい位置検出ができ、誤位置検出を防止できる。
【発明を実施するための最良の形態】
【００２４】
以下に本発明のホログラム記録媒体の実施例を、図を参照にしながら具体的に説明する。ただし、図に示された構成はほんの一例に過ぎず、本発明はこれに限定されるものではない。
【００２５】
実施例は、微細凹凸構造をもつスタンパを作製し、射出成形法によって複製する方法を採用した。図１は本実施例、微細凹凸基板を作製するためのフロー図であり、図２は微細凹凸パターン形成の模式図である。
【００２６】
図１の（１）に示されるように本実施例は光ディスク用ニッケルスタンパにマスク処理を行う作業によって開始される。本実施例に関しては、特別に作製したパターンレススタンパ（一般的にミラースタンパと呼ばれる）を使用した。マスク処理には半導体シリコンウェハー等の表面皮膜剤として使用されている表面保護皮膜剤シリテクト（トライレイナー社）をスピンコート法により塗布した。
【００２７】
図１（２）微細凹凸パターンを形成したいエリアのマスク除去は粘着テープによる剥離除去を行った。他のエリアのシリテクトが除去されぬ様、ポリプロピレンフィルムシートを型取った型を使用した。
【００２８】
図１（３）サンドブラスト工程では、図１（２）の工程で使用した型を取り除き（そのまま付けたままでも良い）、シリテクトを剥離除去した部分に微細砂粉を吹きかけ表面を粗くした。図２はサンドブラストの模式図でありシリテクト除去のエリアに砂塵が吹き当たり微細凹凸を形成している様子を示している。本実施例では、サンドブラストを行ったが本工程は光を乱反射させることのできる程度の粗さを確保できれば、サンドブラストに限らず他の方法によっても行うことができる。
【００２９】
サンドブラストの後、残ったマスク部分を除去（図１（４））し、スタンパは完成する。実際に使用する際には、スタンパクリーニング（図１（５））実施の後、使用した。
【００３０】
その後は、通常の光ディスク成形工程同様にスタンパを射出成形機に取り付け（図１（６））、射出成形を行った。射出成形後の微細凹凸構造を持つホログラム記録媒体用基板は，トラッキングパターン付き基板と相対する位置に設置され，その基板間にホログラム記録層を配置しホログラム記録媒体を作製した。その後は用途に応じて内周センター部にチャッキング用マグネットプレートが取り付けたり，その他の処理が施されることもある。
【図面の簡単な説明】
【００３１】
【図１】本発明による実施形態に係るホログラム記録媒体用基板作製のフロー図である。
【図２】本発明による実施形態に係るホログラム記録媒体基板作製の為のスタンパサンドブラスト工程の模式図である。
【図３】本発明による実施形態に係るホログラム記録媒体用の断面図である。
【図４】従来のホログラム記録媒体の斜視図である。
【図５】図５ａは、ホログラム記録原理図である。図５ｂは、ホログラム再生原理図である。
【図６】従来のホログラム記録媒体における位置誤検出の模式図である。
【符号の説明】
【００３２】
２０１  ホログラム記録媒体用スタンパ
２０２Ａ,２０２Ｂ  スタンパ表面保護マスク
２０３  サンドブラスト砂粉の当り方
３０１  微細凹凸パターン
３０２  微細凹凸による乱反射光
９０１  従来のホログラム記録媒体
９０２  ホログラム記録層
９０３Ａ、９０３Ｂ  ホログラム記録媒体用基板
９０４  位置検出用バーコードパターン
８０１  ホログラム記録用情報光
８０２  ホログラム記録用参照光
８０３  記録されたホログラム干渉縞
８０４  ホログラム再生用参照光
８０５  ホログラム再生用情報光
７０１  位置検出入射光
７０２  位置検出反射光
７０３  基板を透過した位置検出用入射光
７０４  上基板から反射した位置検出用反射光
【図１】
2009047955.tif 000003
【図２】
2009047955.tif 000004
【図３】
2009047955.tif 000005
【図４】
2009047955.tif 000006
【図５】
2009047955.tif 000007
【図６】
2009047955.tif 000008